(57)【要約】【課題】  ３６０度回転させることができる透明ランプカバーにより、所望の方向へ光線を照射させることができる照明方向を調整することが可能なＬＥＤランプを提供する。【解決手段】  照明方向を調整することが可能なＬＥＤランプは、放熱モジュール２、ＬＥＤモジュール１、透明ランプカバー３、１組の金属ガイドピン６、上部ランプホルダ４及び下部ランプホルダ５を備える。ＬＥＤモジュール１は、透明ランプカバー３に対向するように配置された光源１０と、放熱モジュール２が貼り合わされた熱伝導層１１とを有する。透明ランプカバー３は、側部に設けられた開口部３０に固定されたＬＥＤモジュール１及び放熱モジュール２を有し、下端に設けられた１組の金属ガイドピン６のそれぞれは、ＬＥＤモジュール１に上端が接続され、上部ランプホルダ４に配置された金属ガイドリング４０に下端が接触されている。【選択図】  図２
0003165247.tif 000002
【実用新案登録請求の範囲】
【請求項１】
放熱モジュール、ＬＥＤモジュール、透明ランプカバー、１組の金属ガイドピン、上部ランプホルダ及び下部ランプホルダを備える照明方向を調整することが可能なＬＥＤランプであって、
前記放熱モジュールは、放熱性に優れた材料からなり、
前記ＬＥＤモジュールは、前記透明ランプカバーに対向するように配置された光源と、前記放熱モジュールが貼り合わされた熱伝導層と、を有し、
前記透明ランプカバーは、側部に設けられた開口部に固定された前記ＬＥＤモジュール及び前記放熱モジュールを有し、下端に設けられた前記１組の金属ガイドピンのそれぞれは、前記ＬＥＤモジュールに上端が接続され、前記上部ランプホルダに配置された金属ガイドリングに下端が接触され、前記透明ランプカバーの下端に設けられた固定部が、固定部材により前記上部ランプホルダと接続され、３６０度回転可能であり、
前記１組の金属ガイドピンのそれぞれは、前記ＬＥＤモジュールに上端が接続され、前記上部ランプホルダに配置された前記金属ガイドリングに下端が接触し、
前記上部ランプホルダには、ガイドスリーブが設けられ、前記ガイドスリーブの外環部に、同心円状に配置された前記金属ガイドリングに沿って、前記透明ランプカバーの前記金属ガイドピンが移動し、前記金属ガイドリングの下端は、前記下部ランプホルダの外縁に配置された口金部及び電源接触片とそれぞれ接続され、
前記下部ランプホルダは、前記上部ランプホルダに固定され、電球専用の前記口金部、絶縁部及び前記電源接触片を下縁に有し、前記口金部及び前記電源接触片は、前記金属ガイドリングとそれぞれ電気的に接続され、
前記透明ランプカバーを回転させ、所望の方向へ光線を照射させることを特徴とする照明方向を調整することが可能なＬＥＤランプ。
【請求項２】
前記１組の金属ガイドピンは、前記透明ランプカバーの下端に設けられていることを特徴とする請求項１に記載の照明方向を調整することが可能なＬＥＤランプ。
【請求項３】
前記１組の金属ガイドピンは、前記ＬＥＤモジュールの下端に直接設けられ、
前記透明ランプカバーには、前記金属ガイドピンに対応した位置に貫通孔が設けられ、
前記金属ガイドピンの下端は、前記透明ランプカバーの前記貫通孔に貫設されると、下方に配置された前記上部ランプホルダの前記金属ガイドリングに接触されることを特徴とする請求項１に記載の照明方向を調整することが可能なＬＥＤランプ。
【請求項４】
前記放熱モジュールの外側には、放熱面積を増大させるためにフィンが設けられていることを特徴とする請求項１に記載の照明方向を調整することが可能なＬＥＤランプ。
【考案の詳細な説明】
【技術分野】
【０００１】
本考案は、ＬＥＤランプに関するものであり、さらに詳しくは、３６０度回転させることができる透明ランプカバーにより、所望の方向へ光線を照射させることができる照明方向を調整することが可能なＬＥＤランプに関する。
【背景技術】
【０００２】
従来のＬＥＤランプでは、一般にランプカバーと電源コネクタとが固着されているため、照明方向を変えるために、電源コネクタに対してランプカバーを回転させることができなかった。さらに、ＬＥＤランプの光線が傘状に投射され、ランプカバーの角度を調節することができないため、所定の一点の箇所だけに照射することはできなかった。
【考案の開示】
【考案が解決しようとする課題】
【０００３】
本考案の課題は、３６０度回転させることができる透明ランプカバーにより、所望の方向へ光線を照射させることができる照明方向を調整することが可能なＬＥＤランプを提供することにある。
【課題を解決するための手段】
【０００４】
上記課題を解決するために、本考案によれば、放熱モジュール、ＬＥＤモジュール、透明ランプカバー、１組の金属ガイドピン、上部ランプホルダ及び下部ランプホルダを備える照明方向を調整することが可能なＬＥＤランプであって、
前記放熱モジュールは、放熱性に優れた材料からなり、
前記ＬＥＤモジュールは、前記透明ランプカバーに対向するように配置された光源と、前記放熱モジュールが貼り合わされた熱伝導層とを有し、
前記透明ランプカバーは、側部に設けられた開口部に固定された前記ＬＥＤモジュール及び前記放熱モジュールを有し、下端に設けられた前記１組の金属ガイドピンのそれぞれは、前記ＬＥＤモジュールに上端が接続され、前記上部ランプホルダに配置された金属ガイドリングに下端が接触され、前記透明ランプカバーの下端に設けられた固定部が、固定部材により前記上部ランプホルダと接続され、３６０度回転可能であり、前記１組の金属ガイドピンのそれぞれは、前記ＬＥＤモジュールに上端が接続され、前記上部ランプホルダに配置された前記金属ガイドリングに下端が接触し、前記上部ランプホルダには、ガイドスリーブが設けられ、前記ガイドスリーブの外環部に、同心円状に配置された前記金属ガイドリングに沿って、前記透明ランプカバーの前記金属ガイドピンが移動し、前記金属ガイドリングの下端は、前記下部ランプホルダの外縁に配置された口金部及び電源接触片とそれぞれ接続され、前記下部ランプホルダは、前記上部ランプホルダに固定され、電球専用の前記口金部、絶縁部及び前記電源接触片を下縁に有し、前記口金部及び前記電源接触片は、前記金属ガイドリングとそれぞれ電気的に接続され、前記透明ランプカバーを回転させ、所望の方向へ光線を照射させることを特徴とする照明方向を調整することが可能なＬＥＤランプが提供される。
【０００５】
前記１組の金属ガイドピンは、前記透明ランプカバーの下端に設けられていることが好ましい。
【０００６】
前記１組の金属ガイドピンは、前記ＬＥＤモジュールの下端に直接設けられ、前記透明ランプカバーには、前記金属ガイドピンに対応した位置に貫通孔が設けられ、前記金属ガイドピンの下端は、前記透明ランプカバーの前記貫通孔に貫設されると、下方に配置された前記上部ランプホルダの前記金属ガイドリングに接触されることが好ましい。
【０００７】
前記放熱モジュールの外側には、放熱面積を増大させるためにフィンが設けられていることが好ましい。
【考案の効果】
【０００８】
本考案の照明方向を調整することが可能なＬＥＤランプは、３６０度回転させることができる透明ランプカバーにより、所望の方向へ光線を照射させることができる。
【図面の簡単な説明】
【０００９】
【図１】本考案の一実施形態による照明方向を調整することが可能なＬＥＤランプを示す斜視図である。
【図２】本考案の一実施形態による照明方向を調整することが可能なＬＥＤランプを示す分解斜視図である。
【図３】本考案の一実施形態による照明方向を調整することが可能なＬＥＤランプを示す断面図である。
【図４】本考案の他の実施形態による照明方向を調整することが可能なＬＥＤランプを示す分解斜視図である。
【考案を実施するための形態】
【００１０】
以下、本考案の実施形態について図面に基づいて説明する。なお、これによって本考案が限定されるものではない。
【００１１】
図１〜図３を参照する。図１〜図３に示すように、本考案の一実施形態による照明方向を調整することが可能なＬＥＤランプは、ＬＥＤモジュール１、放熱モジュール２、透明ランプカバー３、１組の金属ガイドピン６、上部ランプホルダ４及び下部ランプホルダ５を含む。
【００１２】
ＬＥＤモジュール１は、光源１０及び熱伝導層１１を含む。光源１０は、透明ランプカバー３に対向するように配置されている。熱伝導層１１には、放熱モジュール２が貼り合わされている。
【００１３】
放熱モジュール２は、放熱性に優れた金属材料又は放熱性に優れた多孔質構造（ここで多孔質構造とは高比表面積構造である）の非金属材料からなり、放熱面積を増大させるために、外側にフィン２０が設けられている。ここで非金属材料とは、例えば、酸化アルミニウムＡｌ２Ｏ３、酸化ジルコニウムＺｒ２Ｏ、窒化アルミニウムＡｌＮ、窒化ケイ素Ｓｉ３Ｎ４、窒化ホウ素ＢＮ、炭化タングステンＷＣ、炭化ケイ素ＳｉＣ、黒鉛Ｃ、結晶炭化ケイ素又は再結晶炭化ケイ素ＲＳｉＣ（好ましくは、窒化アルミニウム、窒化ケイ素である。）の熱伝導率が高い非金属粉末からなる。
【００１４】
透明ランプカバー３には、側部に設けられた開口部３０により、ＬＥＤモジュール１及び放熱モジュール２が固定され、下端に設けられた固定部３２が、固定部材３３により上部ランプホルダ４に接続され、３６０度回転させることが可能である。
【００１５】
１組の金属ガイドピン６のそれぞれは、ＬＥＤモジュール１に上端が接続され、上部ランプホルダ４に配置された金属ガイドリング４０に下端が接触されている。
【００１６】
図２及び図３を参照する。図２及び図３に示すように、本実施形態では、金属ガイドピン６が透明ランプカバー３の下端に配置されているが、本考案はこの態様だけに限定されるわけではなく、例えば、透明ランプカバー３へ金属ガイドピン６を予め埋設しておき、透明ランプカバー３を射出成型する際に一体成形してもよい。
【００１７】
図４を参照する。図４に示すように、本考案の他の実施形態では、金属ガイドピン６がＬＥＤモジュール１の下端に直接設けられている。透明ランプカバー３には、金属ガイドピン６に対応した位置に貫通孔３１が設けられている。そのため、金属ガイドピン６の下端が透明ランプカバー３に設けられた貫通孔３１に貫設されると、下方に配置された上部ランプホルダ４の金属ガイドリング４０に接触する。
【００１８】
上部ランプホルダ４は、透明ランプカバー３の下端に設けられた固定部３２を貫設するために用いるガイドスリーブ４１を有する。透明ランプカバー３の金属ガイドピン６は、ガイドスリーブ４１の外環部へ同心円状に配置された金属ガイドリング４０に沿って移動する。この金属ガイドリング４０は、上部ランプホルダ４へ金属ガイドリング４０を予め埋設しておき、上部ランプホルダ４を射出成型する際に一体成形してもよい。金属ガイドリング４０の下端は、下部ランプホルダ５の外縁に配置された口金部５０及び電源接触片５１にそれぞれ接続されている。
【００１９】
下部ランプホルダ５は、上部ランプホルダ４に固定され、何れも従来技術である電球専用の口金部５０、絶縁部５２及び電源接触片５１を下縁に有する。口金部５０及び電源接触片５１は、金属ガイドリング４０とそれぞれ電気的に接続されている（即ち、交流電圧のＬＥＤモジュールの接続方法である。）。直流電圧のＬＥＤモジュールを使用する場合、口金部５０、電源接触片５１、金属ガイドリング４０の間に整流器を直列接続する必要がある。
【００２０】
上述したことから分かるように、本考案の照明方向を調整することが可能なＬＥＤランプは、透明ランプカバーを回転させることにより、所望の方向へ光線を照射することができる。回転部分のＬＥＤモジュールは、金属ガイドピンにより固定部分の金属ガイドリングと電気的に接続されているため、所望の方向へ光線を照射することができる上、従来技術と異なり、透明ランプカバーを３６０度回転させても、導線が絡んだり、接触不良を起こしたり、損壊したりするなどの欠点を有さない。
【００２１】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  ＬＥＤモジュール
２  放熱モジュール
３  透明ランプカバー
４  上部ランプホルダ
５  下部ランプホルダ
６  金属ガイドピン
１０  光源
１１  熱伝導層
２０  フィン
３０  開口部
３１  貫通孔
３２  固定部
３３  固定部材
４０  金属ガイドリング
４１  ガイドスリーブ
５０  口金部
５１  電源接触片
５２  絶縁部
【図１】
0003165247.tif 000003
【図２】
0003165247.tif 000004
【図３】
0003165247.tif 000005
【図４】
0003165247.tif 000006